(57)【要約】      （修正有）【課題】使用方法を変更することができる工具のコネクタを提供する。【解決手段】第一桿体１０と第二桿体２０とを含んでなり、第一桿体１０が、一端に設けられた多辺形の球体１２と、他端に設けられた駆動体とを具えてなり、第二桿体２０が、一端に設けられた設置槽２１と、他端に設けられた駆動部１１とを具えてなり、設置槽２１は、多辺形の球体を設けるために供し、且つ設置槽２１と多辺形の球体１２とが面と面で係止する関係を呈し、多辺形の球体の底端には固定端１３が設けられ、設置槽２１の底端には固定端１３を設ける内槽が設けられ、設置槽２１の開口端に設けられた溝２１１が制限部材４０を嵌合して固定するために供し、多辺形の球体が設置槽２１の内部に位置決めされ、固定端１３を内槽に設ける場合、第一、第二桿体を固定して、固定端１３を内槽から外す場合には第一、第二桿体が挟角を呈して回転する状態にする。【選択図】図２
0003144253.tif 000002
【実用新案登録請求の範囲】
【請求項１】
第一桿体と第二桿体とを含んでなり、
該第一桿体が、一端に設けられた多辺形の球体と、他端に設けられた駆動体とを具えてなり、
該第二桿体が、一端に設けられた設置槽と、他端に設けられた駆動部とを具えてなり、該設置槽は、多辺形の球体を設けるために供し、且つ設置槽と多辺形の球体とが面と面で係止する関係を呈し、多辺形の球体の底端には固定端が設けられ、該設置槽の底端には固定端を設ける内槽が設けられ、設置槽の開口端に設けられた溝が制限部材を嵌合して固定するために供し、多辺形の球体が設置槽の内部に位置決めされ、該固定端を内槽に設ける場合、第一、第二桿体を固定して、固定端を内槽から外す場合には第一、第二桿体が挟角を呈して回転する状態にすることを特徴とする工具のコネクタ。
【請求項２】
前記多辺形の球体が中央に貫通孔を設けてなり、該貫通孔は第一桿体を挿設するために供し、固定部材で係合して固定することを特徴とする請求項１に記載の工具のコネクタ。
【請求項３】
前記第一桿体と多辺形の球体とが一体成形され、且つ、第一桿体の多辺形の球体の底端から突出した部分が固定端であることを特徴とする請求項１に記載の工具のコネクタ。
【請求項４】
前記設置槽が多辺形の面を具えてなり、且つ該面の数量が多辺形の球体の面の数に対応することを特徴とする請求項１に記載の工具のコネクタ。  
【請求項５】
前記第一桿体の駆動部が、多辺形の長い棒状の桿体であることを特徴とする請求項１に記載の工具のコネクタ。
【請求項６】
前記第二桿体の駆動部が、接続ヘッドであることを特徴とする請求項１に記載の工具のコネクタ。
【請求項７】
前記第二桿体の駆動部が筒体であることを特徴とする請求項１に記載の工具のコネクタ。
【請求項８】
前記固定部材がＣ形を呈することを特徴とする請求項２に記載の工具のコネクタ。
【請求項９】
前記制限部材がＣ形を呈することを特徴とする請求項１に記載の工具のコネクタ。
【考案の詳細な説明】
【技術分野】
【０００１】
この考案は、工具のコネクタに関し、特に二種類の使用方法を具えた工具のコネクタに関する。
【背景技術】
【０００２】
工業界において、一般的に使用されている工具は、中華民国特許登録番号第Ｍ２９７８１７号に示すような回転自在でどのような方向にも接続可能なコネクタか、或いは中華民国特許登録番号第３２７２６９号に開示するような固定されたコネクタを具えている。
【０００３】
両者はいずれも単一で設けられる。よって、該工具を使用して作業をする場合、使用者は状況に応じて次々に工具を交換しなければならない。
【０００４】
よって、使用者が工具を使用する場合に非常に不便であるだけでなく、さまざまな工具を購入しなければならないため、実用的でない。
【考案の開示】
【考案が解決しようとする課題】
【０００５】
この考案は、使用方法を変更することができる工具のコネクタを提供することを課題とする。
【課題を解決するための手段】
【０００６】
そこで、本考案者は従来の技術に見られる欠点に鑑みて鋭意研究を重ねた結果、第一桿体と第二桿体とを含んでなり、
該第一桿体が、一端に設けられた多辺形の球体と、他端に設けられた駆動体とを具えてなり、
該第二桿体が、一端に設けられた設置槽と、他端に設けられた駆動部とを具えてなり、該設置槽は、多辺形の球体を設けるために供し、且つ設置槽と多辺形の球体とが面と面で係止する関係を呈し、多辺形の球体の底端には固定端が設けられ、該設置槽の底端には固定端を設ける内槽が設けられ、設置槽の開口端に設けられた溝が制限部材を嵌合して固定するために供し、多辺形の球体が設置槽の内部に位置決めされ、該固定端を内槽に設ける場合、第一、第二桿体を固定して、固定端を内槽から外す場合には第一、第二桿体が挟角を呈して回転する状態にする工具のコネクタによって課題を解決できる点に着眼し、かかる知見に基づいて本考案を完成させた。
【０００７】
以下、この考案について具体的に説明する。
請求項１に記載の第一桿体と第二桿体とを含んでなり、
該第一桿体が、一端に設けられた多辺形の球体と、他端に設けられた駆動体とを具えてなり、
該第二桿体が、一端に設けられた設置槽と、他端に設けられた駆動部とを具えてなり、該設置槽は、多辺形の球体を設けるために供し、且つ設置槽と多辺形の球体とが面と面で係止する関係を呈し、多辺形の球体の底端には固定端が設けられ、該設置槽の底端には固定端を設ける内槽が設けられ、設置槽の開口端に設けられた溝が制限部材を嵌合して固定するために供し、多辺形の球体が設置槽の内部に位置決めされ、該固定端を内槽に設ける場合、第一、第二桿体を固定して、固定端を内槽から外す場合には第一、第二桿体が挟角を呈して回転する状態にする。
【０００８】
請求項２に記載の工具のコネクタは、請求項１における多辺形の球体が中央に貫通孔を設けてなり、該貫通孔は第一桿体を挿設するために供し、固定部材で係合して固定する。
【０００９】
請求項３に記載の工具のコネクタは、  請求項１における第一桿体と多辺形の球体とが一体成形され、且つ、第一桿体の多辺形の球体の底端から突出した部分が固定端である。
【００１０】
請求項４に記載の工具のコネクタは、  請求項１における設置槽が多辺形の面を具えてなり、且つ該面の数量が多辺形の球体の面の数に対応する。
【００１１】
請求項５に記載の工具のコネクタは、  請求項１における第一桿体の駆動部が、多辺形の長い棒状の桿体である。
【００１２】
請求項６に記載の工具のコネクタは、   請求項１における第二桿体の駆動部が、接続ヘッドである。
【００１３】
請求項７に記載の工具のコネクタは、  請求項１における第二桿体の駆動部が筒体である。
【００１４】
請求項８に記載の工具のコネクタは、  請求項１における固定部材がＣ形を呈する。
【００１５】
請求項９に記載の工具のコネクタは、  請求項１における制限部材がＣ形を呈する。
【考案の効果】
【００１６】
この考案による工具のコネクタは、さまざまな使用方法を具えているため実用的であるという効果を有する。
【考案を実施するための最良の形態】
【００１７】
この考案は、使用方法を変更することができる工具のコネクタであって、第一桿体と第二桿体とを含んでなり、
該第一桿体が、一端に設けられた多辺形の球体と、他端に設けられた駆動体とを具えてなり、
該第二桿体が、一端に設けられた設置槽と、他端に設けられた駆動部とを具えてなり、該設置槽は、多辺形の球体を設けるために供し、且つ設置槽と多辺形の球体とが面と面で係止する関係を呈し、多辺形の球体の底端には固定端が設けられ、該設置槽の底端には固定端を設ける内槽が設けられ、設置槽の開口端に設けられた溝が制限部材を嵌合して固定するために供し、多辺形の球体が設置槽の内部に位置決めされ、該固定端を内槽に設ける場合、第一、第二桿体を固定して、固定端を内槽から外す場合には第一、第二桿体が挟角を呈して回転する状態にする工具のコネクタの構造と特徴を詳述するために具体的な実施例を挙げ、図示を参照にして以下に説明する。
【実施例】
【００１８】
図１に開示するように、この考案は、第一桿体１０と、第二桿体２０と、を含んでなる。該第一桿体１０は、多辺形の面を具えた長い棒状に形成される（図１の実施形態における桿体の面の数は六面で、図１Ａには八面のものを示した。しかしながら、桿体の面は多辺形であればよい）。
【００１９】
また、該第一桿体１０は二つの端縁部を具えてなり、一端が駆動部１１（該駆動部の形状・サイズはメーカーにより決定される）で、他端が多辺形の球体１２に形成される。
【００２０】
該多辺形の球体１２は、中央に貫通した貫通孔１２１を具えてなる。該貫通孔１２１は、第一桿体１０を挿設するために供する。固定部材３０が多辺形の球体１２に当接して設けられるため、多辺形の球体１２が第一桿体１０から抜け落ちることを防ぐことができる。
【００２１】
該多辺形の球体１２は、底端縁部に固定端１３を設けてなる。該固定端１３は、第一桿体１０を多辺形の球体１２の貫通孔１２１に挿設した後に該貫通孔１２１から突出した第一桿体１０の一部である。
【００２２】
第二桿体２０は、一端に形成された設置槽２１と、他端に設けられた駆動部２２とを具えてなる。該設置槽２１は多辺形を呈するとともに、多辺形の球体１２の面に対応し、多辺形の球体１２を挿設するために供する。また、設置槽２１の底部には内槽２１２（図４Ａ参照）が凹設される。
【００２３】
該内槽２１２は、固定端１３の多辺形の形状に対応して形成される（この実施形態では六角形を呈する）。設置槽２１は開口端の内側端縁部に溝２１１が設けられる。該溝２１１は、制限部材４０を係止して設けるために供する（この実施形態では該制限部材と固定部材がＣ形に形成される）。
【００２４】
該第二桿体２０は、一端に駆動部（該駆動部はコネクタヘッド、或いは筒端に形成され、生産に必要なもので決定する）を具えてなり、図２に開示するような構造を具えてなる。
【００２５】
図３に開示するように、第一桿体１０の固定端１３を設置槽２１の内槽２１２に設ける場合、第一桿体１０と第二桿体２０とを固定する。設置槽２１の面の数と多辺形の球体１２の面の数が一致しているため、第一桿体１０の駆動部１１が回転すると、多辺形の球体１２が連動されて第二桿体２０が回転する。第二桿体の駆動部２２が回転すると、工具を回転して使用する目的を達成する。
【００２６】
図４及び図５に開示するように、第一桿体１０は、多辺形の球体１２及び内槽２１２に活動自在に設けられる。よって、第一桿体１０を内槽２１２から上方に向けて引き上げると、固定端１３が内槽２１２から離れて設置槽２１の内部に進入する。
【００２７】
制限部材４０が多辺形の球体１２の上端に当接しているため、多辺形の球体１２が設置槽２１の開口に向けて移動され、多辺形の球体１２の開口に対向する側面が制限部材４０に当接する。このため多辺形の球体１２が設置槽２１の開口端から抜け落ちることを防ぐ。
【００２８】
図６に開示するように、制限部材４０が多辺形の球体１２の上端面に当接しているため、第一桿体１０は、設置槽２１の開口の範囲内で回転する。よって、第一桿体１０と、第二桿体２０との間が挟角を呈して回転し、狭いか、或いは特殊なものに使用することができる。
【００２９】
その後、固定状態にしたい場合には、図３に開示するように、第一桿体１０の固定端１３を再度、内槽２１２の内部に挿入すればよい。
【００３０】
前述のように、使用者の状況に応じて使用方法を変更することができるため、作業効率を倍にする目的を達成することができる。
【００３１】
図７は、この考案の他の実施形態を示したものである。図面によれば、第一桿体１０の一端と多辺形の球体１２とは一体に成形され、多辺形の球体１２の底端には該多辺形の球体１２から突出した第一桿体の一部が設けられる。
【００３２】
該突出した桿体の一部は、固定端１３になる。
【００３３】
多辺形の球体１２の多辺形の球状の側面には、中央に側孔１２２が形成される。該側孔１２２は、弾性部材１２３及び鋼玉１２４とを設けるために供する（該側孔１２２、弾性部材１２３、鋼玉１２４はいずれも、上述した前の実施形態でも使用することができる）。
【００３４】
図８に開示するように、第一桿体１０の固定端１３を内槽２１２に挿設する場合、第一桿体１０と、第二桿体２０とを固定する。駆動部１１が回転すると、多辺形の球体１２が第二桿体２０を回転させて、第二桿体２０の駆動部２２が回転される。よって、工具を回転して使用する目的を達成することができる。
【００３５】
図９及び図１０に開示するように、第一桿体１０の固定端１３を内槽２１２から上方に向けて引き上げると、制限部材４０が多辺形の球体１２の上端面に当接しているため、第一桿体１０が設置槽２１の開口の範囲内で回転する。
【００３６】
また、多辺形の球体１２は、側孔１２２に設けられた鋼玉１２４が弾性部材１２３に押し圧されているため、設置槽２１の多角形の面上と緊密に接触する。よって、第一桿体１０が回転すると、より密接に連動するため、工具を操作し易い。
【００３７】
この考案は、上述に開示した実施形態だけに限られることはなく、図１１に開示するように、第一桿体１０の駆動部１１が筒体で、第二桿体２０の駆動部が多辺形の面を具えた長い棒状の桿体でもよい。  
【００３８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の特許請求の範囲に属するものとする。
【図面の簡単な説明】
【００３９】
【図１】この考案の工具のコネクタを示した分解図である。
【図１Ａ】この考案の工具のコネクタの桿体を八角形に形成した状態を示した分解図である。
【図２】この考案の工具のコネクタを組み合わせた状態を示した説明図である。
【図３】この考案の工具のコネクタの第一桿体と第二桿体とを固定した状態を示した断面図である。
【図４】この考案の工具のコネクタの第一桿体を上方に引き上げた状態を示した説明図である。
【図５】この考案の工具のコネクタの第一桿体を上方に引き上げた状態を示した他の説明図である。
【図６】この考案の工具のコネクタの第一桿体と第二桿体とを回動自在な状態に設けた状態を示した説明図である。
【図７】この考案の工具のコネクタの他の実施形態を示した分解図である。
【図８】図７に開示する工具のコネクタの第一桿体と第二桿体とを固定した状態を示した断面図である。
【図９】図７に開示する工具のコネクタの第一桿体を上方に引き上げた状態を示した説明図である。
【図１０】図７に開示する工具のコネクタの第一桿体と第二桿体とを回動自在に設けた状態を示した説明図である。
【図１１】この考案の工具のコネクタの駆動部の他の実施形態を示した分解図である。
【符号の説明】
【００４０】
１０     第一桿体
１１     駆動部
１２     球体
１２１   貫通孔
１２２   側孔
１２３   弾性部材
１２４   鋼玉
１３     固定端
２０     第二桿体
２１     設置槽
２１１   溝
２１２   内槽
２２     駆動部
３０     固定部材
４０     制限部材
【図１】
0003144253.tif 000003
【図１Ａ】
0003144253.tif 000004
【図２】
0003144253.tif 000005
【図３】
0003144253.tif 000006
【図４】
0003144253.tif 000007
【図５】
0003144253.tif 000008
【図６】
0003144253.tif 000009
【図７】
0003144253.tif 000010
【図８】
0003144253.tif 000011
【図９】
0003144253.tif 000012
【図１０】
0003144253.tif 000013
【図１１】
0003144253.tif 000014